(57)【要約】【課題】白筋やバンディングを発生させることなく、滲みを効果的に防止できるようにしたインクジェット記録装置を提供する。【解決手段】１ライン走査内で、複数のインク吐出口からインクを吐出するインクジェット装置であって、被印字面上の画像の境界付近において、前記境界の隣接画素相互の吐出時間間隔が、所定インクについての所定時間より短い場合、前記境界付近でのインク吐出口Ｃ，ＢＫをＬＣに変更し、前記吐出時間間隔を前記所定時間より長く設定する。【選択図】図５
2004034472.tif 000002
【特許請求の範囲】
【請求項１】
１ライン走査内で、複数のインク吐出口からインクを吐出するインクジェット装置であって、
被印字面上の画像の境界付近において、前記境界の隣接画素相互の吐出時間間隔が、所定インクについての所定時間より短い場合、前記境界付近でのインク吐出口の選択を変更し、前記吐出時間間隔を前記所定時間より長く設定することを特徴とするインクジェット記録装置。
【請求項２】
前記インク吐出口の選択を変更する場合、同色で濃淡の異なるインク吐出口を選択することを特徴とする請求項１に記載のインクジェット記録装置。
【請求項３】
前記境界の両方の領域で、インク吐出口の選択を変更することを特徴とする請求項１に記載のインクジェット記録装置。
【請求項４】
前記境界の片方の領域でのみ、インク吐出口の選択を変更することを特徴とする請求項１に記載のインクジェット記録装置。
【請求項５】
走査ライン毎に、前記境界の何れか片方の領域を選び、インク吐出口の選択を変更することを特徴とする請求項１に記載のインクジェット記録装置。
【請求項６】
被印字面上の前記境界付近の所定範囲内への印字において、前記インク吐出口の選択を変更することを特徴とする請求項１に記載のインクジェット記録装置。
【請求項７】
前記所定範囲を、主走査方向において、前記境界からラインピッチ幅の１〜２倍の範囲に設定することを特徴とする請求項６に記載のインクジェット記録装置。
【請求項８】
前記吐出口の選択の変更後、前記境界における隣接画素の吐出時間間隔を所定時間以上に設定することを特徴とする請求項１に記載のインクジェット記録装置。
【請求項９】
前記所定時間を６０〜１２０ｍｓに設定することを特徴とする請求項７に記載のインクジェット記録装置。
【請求項１０】
所望の前記異なる色のインク吐出口の間に、他のインク吐出口を設けたことを特徴とする請求項２に記載のインクジェット記録装置。
【請求項１１】
前記１ライン走査内で、インクを吐出する前記複数のインク吐出口として、黒ＢＫ、シアンＣ、ライトシアンＬＣの順に並べることを特徴とする請求項１０に記載のインクジェット記録装置。
【請求項１２】
前記１ライン走査内で、インクを吐出する前記複数のインク吐出口として、ライトマゼンタＬＭ、マゼンタＭ、黄Ｙの順に並べることを特徴とする請求項１０に記載のインクジェット記録装置。
【請求項１３】
前記インク吐出口の選択の変更後、前記境界における隣接画素の吐出時間間隔が、所定時間以上となるように、それらのインク吐出口の間隔を設定することを特徴とする請求項１に記載のインクジェット記録装置。
【請求項１４】
前記インク吐出口の選択の変更後、前記境界における隣接画素の吐出時間間隔が所定時間以上となるように、その走査領域での走査速度を設定することを特徴とする請求項１に記載のインクジェット記録装置。
【請求項１５】
画像データ上で所定サイズの領域において、全画素間のデータ変化量が第１所定値以内であり、前記領域に隣接する画素と前記領域内の画素とのデータ変化が第２所定値以上となる場合、前記インク吐出口の選択を変更することを特徴とする請求項１に記載のインクジェット記録装置。
【請求項１６】
前記所定サイズの領域の外形を長方形とし、その何れかの１辺の長さを２画素以上とすることを特徴とする請求項１５に記載のインクジェット記録装置。
【請求項１７】
前記所定サイズの領域内の全画素において、前記第１所定値以内の条件を、何れかの種類のインクのドロップ数が、前記領域内の全画素について、その最大ドロップ数の１／２以上となる場合、前記インク吐出口の選択を変更することを特徴とする請求項１５に記載のインクジェット記録装置。
【請求項１８】
前記第２の所定値は、前記所定サイズ領域の隣接の画素において、前記所定サイズ領域内とは異なる何れかの種類のインクのドロップ数が、その最大ドロップ数の１／２以上であることを特徴とする請求項１７に記載のインクジェット記録装置。
【発明の詳細な説明】
【０００１】
【発明の属する技術分野】
本発明は、インク滴を飛翔させて被記録材に画像を記録するようにしたインクジェット記録装置におけるインクの滲みを防止する技術に関する。
【０００２】
【従来技術】
インクジェット記録装置では、デジタル信号に応答して、力学的もしくは熱的な作用により、媒体上にインク滴を吐出させて紙などの被記録材に画像を形成する。この記録方法は、ノンインパクト記録法の代表的なものであり、電子写真方式等の記録法に見られるような現像や定着といったプロセスを含まないため、装置の構成が簡易でコンパクト化が可能であり、高速かつ低騒音で記録できる特長がある。
【０００３】
また、インクジェット記録装置は、比較的安価で、カラー化も容易であるので、近年では事務用および家庭用パーソナルコンピューターの出力機器として広く用いられるようになってきた。このようなインクジェット記録方式でフルカラー化を実現するには、忠実に中間調を再現する必要があり、その中間調表現方法には、ディザ法、誤差拡散法等が用いられる。
【０００４】
しかし、これらの方法では、ハイライト部に粒状感が発生する。そこで、例えば、登録特許２７１７７９８号公報には、濃度の異なる同色のインクを使い分けることにより、つまり、淡インクのみで記録する低記録濃度領域と濃インクのみで記録する高記録濃度領域との間に、濃インクの小ドットと、淡インクの大ドットとを交互に打つ中間濃度領域を設けることによって、つなぎ部の目立たない中間調を再現しようとした方法が提案されている。
【０００５】
ところが、このような方法では、印字速度を上げると、２色の境界部分で、滲みが発生する。そこで、このような滲みを防止するために、例えば、登録特許２７５２４２１号公報、２６２０３１３号公報には、２色の境界部分を検知し、その隣接部のドットを間引いたり、小さくしたりするような方法が提案されている。
【０００６】
【発明が解決しようとする課題】
上記従来例（登録特許２７５２４２１号公報、２６２０３１３号公報）のように、滲みの発生を防止するために、境界部分で、ドットを小さくしたり、ドットを間引いたりすると、白筋やバンディングが発生しやすくなる。図１４は、滲みの発生を抑えるために、境界部で部分的にドットを小さくした場合の概念図を示す。同図に示すように、ドットを小さくすれば、各ドット相互の重なりが減り、滲みの発生は抑えられる。
【０００７】
しかし、紙送りのずれ、インク吐出口の走査のずれ、インク滴の飛翔方向のずれ等により、ドットの印字位置がずれることがある。また、ドットを小さくすると、隣接ドット間に、ドット位置誤差による隙間が生じやすくなり、白地部が目立ちやすくなる（図１４におけるシアンＣと黒ＢＫの境界を参照）。そのため、印字画像上でのドット位置誤差により、白筋やバンディングが発生する。ドットを間引いた場合には、さらに白筋やバンディングが目立ちやすくなる。
【０００８】
本発明は、このような実情に鑑みてなされ、白筋やバンディングを発生させることなく、滲みを効果的に防止できるようにしたインクジェット記録装置を提供することを目的とする。
【０００９】
【課題を解決するための手段】
本発明は、上述の課題を解決するために、以下のように構成している。
【００１０】
（１）１ライン走査内で、複数のインク吐出口からインクを吐出するインクジェット装置であって、
被印字面上の画像の境界付近において、前記境界の隣接画素相互の吐出時間間隔が、所定インクについての所定時間より短い場合、前記境界付近でのインク吐出口の選択を変更し、前記吐出時間間隔を前記所定時間より長く設定することを特徴とする。
【００１１】
１ライン走査内で、複数のインク吐出口からインクを吐出する場合、隣接画素に、短時間内に、異なる色インクが印字されることがある。そのとき、隣接画素間で滲みが発生しやすくなる。
【００１２】
この構成においては、隣接画素への吐出時間間隔を、所定時間より長くすることで、インクの乾燥時間を確保できるため、滲みを効果的に抑制することができる。
【００１３】
また、ドットの大きさを変化させないので、白筋やバンディングを発生させることがない。
【００１４】
（２）前記インク吐出口の選択を変更する場合、同色で濃淡の異なるインク吐出口を選択することを特徴とする。
【００１５】
この構成においては、同色で濃淡の異なるインクを選択することで、原画像との相違を少なくすることができる。
【００１６】
（３）前記境界の両方の領域で、インク吐出口の選択を変更することを特徴とする。
【００１７】
この構成においては、インク吐出口の選択肢が増えるため、滲みを、より効果的に防止することができる。
【００１８】
（４）前記境界の片方の領域でのみ、インク吐出口の選択を変更することを特徴とする。
【００１９】
この構成においては、片側の領域でのみ、インクが変わるので、原画像との相違を少なくすることができる。
【００２０】
（５）走査ライン毎に、前記境界の何れか片方の領域を選び、インク吐出口の選択を変更することを特徴とする。
【００２１】
この構成においては、インク変更の偏りを減らせるので、原画像との見た目の違いを少なくすることができる。
【００２２】
（６）被印字面上の前記境界付近の所定範囲内への印字において、前記インク吐出口の選択を変更することを特徴とする。
【００２３】
高密度で印字する場合、１ドットの広がりの中に、複数のドットが重なりやすくなるため、滲みが発生する。
【００２４】
この構成においては、所定範囲内に重心のあるドットについて、前記インク吐出口の選択を変更することで、滲みを効果的に防止できる。
【００２５】
（７）前記所定範囲を、主走査方向において、前記境界からラインピッチ幅の１〜２倍に設定することを特徴とする。
【００２６】
主走査方向とは、インクキャリッジの走査方向である。また、ラインピッチ幅とは、副走査方向（用紙搬送方向）についての隣接走査ライン間の間隔のことでである。
【００２７】
この構成においては、前記境界からラインピッチ幅の１〜２倍の範囲内のドットについて、そのインク吐出口の選択を変更することで、この範囲内の異色ドット相互の吐出時間間隔を長くできるので、滲みを効果的に防止することができる。
【００２８】
（８）前記インク吐出口の選択の変更後、前記境界における隣接画素の吐出時間間隔を所定時間以上に設定することを特徴とする。
【００２９】
この構成においては、隣接画素の吐出時間間隔を所定時間以上に設定することで、先に吐出したインクの乾燥が進み、滲みを効果的に防止することができる。
【００３０】
（９）前記所定時間を６０〜１２０ｍｓに設定することを特徴とする。
【００３１】
この構成においては、図７から判るように、隣接画素の吐出時間間隔を６０〜１２０ｍｓに設定するので、滲み量が少なくすることができる。
【００３２】
（１０）所望の前記異なる色のインク吐出口の間に、他のインク吐出口を設けたことを特徴とする。
【００３３】
この構成においては、他のインク吐出口が異なる色のインク吐出口の間に入るので、異なる色のインク吐出口の間隔が長くなる。そのため、異なる色の吐出時間間隔が長くなり、滲みを効果的に防止することができる。
【００３４】
（１１）前記１ライン走査内で、インクを吐出する前記複数のインク吐出口として、黒ＢＫ、シアンＣ、ライトシアンＬＣの順に並べることを特徴とする。
【００３５】
この構成においては、黒とライトシアンを選択すれば、吐出時間間隔が長くなるため、滲みを効果的に防止することができる。
【００３６】
（１２）前記１ライン走査内で、インクを吐出する前記複数のインク吐出口として、ライトマゼンタＬＭ、マゼンタＭ、黄Ｙの順に並べることを特徴とする。
【００３７】
この構成においては、黄とライトマゼンタを選択すれば、吐出時間間隔が長くなるため、滲みを効果的に防止することができる。
【００３８】
（１３）前記インク吐出口の選択の変更後、前記境界における隣接画素の吐出時間間隔が、所定時間以上となるように、それらのインク吐出口の間隔を設定することを特徴とする。
【００３９】
この構成においては、隣接画素の吐出時間間隔が、所定時間以上に達しない場合、インク吐出口の間隔を広げることにより、隣接画素の吐出時間間隔が、所定時間以上となる選択が可能となり、滲みを効果的に防止することができる。
【００４０】
（１４）前記インク吐出口の選択の変更後、前記境界における隣接画素の吐出時間間隔が所定時間以上となるように、その走査領域での走査速度を設定することを特徴とする。
【００４１】
この構成においては、隣接画素の吐出時間間隔が、所定時間以上に達しない場合、その走査領域での走査速度を遅くすることで、隣接画素の吐出時間間隔が、所定時間以上となる選択が可能となり、滲みを効果的に防止することができる。
【００４２】
（１５）画像データ上で所定サイズの領域において、全画素間のデータ変化量が第１所定値以内であり、前記領域に隣接する画素と前記領域内の画素とのデータ変化が第２所定値以上となる場合、前記インク吐出口の選択を変更することを特徴とする。
【００４３】
この構成においては、第１所定値以内を満足する場合、前記領域を同一領域と見なす。さらに、第２所定値以上を満足する場合、前記領域に隣接する画素と前記領域との間に、境界があると見なす。そして、その境界部においてインク吐出口の選択を変更することで、境界での滲みを効果的に防止することができる。
【００４４】
（１６）前記所定サイズの領域の外形を長方形とし、その何れかの１辺の長さを２画素以上とすることを特徴とする。
【００４５】
この構成においては、所定サイズの領域を構成する長方形の何れかの１辺の長さを、２画素以上とすることにより、１画素幅の領域に対するインク種類の置き換えを防げる（１画素幅の領域でインクを置き換えると、色の変化が目立ちやすくなる）。
【００４６】
（１７）前記所定サイズの領域内の全画素において、前記第１所定値以内の条件を、何れかの種類のインクのドロップ数が、前記領域内の全画素について、その最大ドロップ数の１／２以上となる場合、前記インク吐出口の選択を変更することを特徴とする。
【００４７】
マルチドロップ方式（１画素内にインク滴を多数回吐出する）において、高濃度（ドロップ数の多い）の場合、画素当りのインク吐出量が多くなり、滲みが発生しやすくなる。
【００４８】
この構成においては、各画素を構成する何れかの種類のインクについて、高濃度の領域（最大ドロップ数の１／２以上）を見つけ、その高濃度部と低濃度（例えば、最大ドロップ数の１／３以下）の境界部においてインク吐出口の選択を変更することで、境界での滲みを効果的に防止することができる。
【００４９】
また、低濃度（ドロップ数の少ない）の場合、インクを置換えないので、処理速度が上がる。さらに、色が変化することを防げる。低濃度の場合、インク吐出量が少ないため、滲みが発生しにくくなる。なお、最大ドロップ数とは、１画素内で吐出可能な最大ドロップ数のことである。
【００５０】
（１８）前記第２の所定値は、前記所定サイズ領域の隣接の画素において、前記所定サイズ領域内とは異なる何れかの種類のインクのドロップ数が、その最大ドロップ数の１／２以上であることを特徴とする。
【００５１】
この構成においては、前記所定サイズ領域に対し、その隣接画素の色が異なり、高濃度（最大ドロップ数の１／２以上）である場合、そこに境界があると見なし、その境界部においてインク吐出口の選択を変更することで、境界での滲みを効果的に防止することができる。
【００５２】
【発明の実施の形態】
以下に、本発明の実施形態に係るインクジェット記録装置について図面を参照しつつ詳細に説明する。
【００５３】
（インクジェット記録装置）
図１および図２は、インクジェット記録装置（インクジェットプリンタ）の構成を示し、これらの図に示すように、このインクジェット記録装置は、記録用紙に印字を行う印字部８１と、記録用紙をプリンタに供給する給紙部８２と、記録用紙を印字部８１まで搬送する搬送部８３と、印字された記録用紙を排出する排出部８５とから構成されている。
【００５４】
給紙部８２は、給紙トレイ１０３、分離板１０５、給紙ローラ１０４を有している。給紙トレイ１０３は、印字にかかる記録用紙を収容・給紙し、分離板１０５および給紙ローラ１０４は、給紙トレイ１０３に収容された記録用紙を一枚ずつ分離して搬送部８３に供給する。
【００５５】
搬送部８３は、ガイド板１０６、搬送ローラ１０７を有しており、ガイド板１０６は、給紙ローラ１０４から給紙されてきた記録用紙を印字部８１に導き、搬送ローラ１０７は、ガイド板１０６上を通過した記録用紙を印字ヘッド１０１まで搬送する。
【００５６】
印字部８１は、インクキャリッジ２０３、シャフト２０２、プラテン１０２を有しており、インクキャリッジ２０３は、印字ヘッド１０１をシャフト２０２に沿って移動させるためのものであり、６つのインクカートリッジ（不図示）および上記印字ヘッド１０１を備えている。
【００５７】
インクカートリッジは、インクを貯留（蓄積）するとともに、印字ヘッド１０１にインクを供給するものであり、印字ヘッド１０１の上部に取り付けられている。また、本プリンタでは、互いに色の異なる６色（ブラック、イエロー，マゼンタ，シアン、ライトマゼンタ，ライトシアン）のインクを使用するようになっており、各インクを蓄積するために、６つのインクカートリッジを備えている。
【００５８】
印字ヘッド１０１は、カートリッジから供給されたインクを吐出口（不図示）から吐出して、記録用紙に画像を形成するものであり、シャフト２０２は、インクキャリッジ２０３を、走査方向に沿って移動できるように案内する。ここで、走査方向とは、記録用紙の搬送方向に対して垂直な方向のことである。
【００５９】
プラテン１０２は、印字（インク吐出）の際、記録用紙を載置するための台（印字台）となるものであり、記録用紙における平坦性の維持、および、印字ヘッド１０１の下部に設けられている吐出口（不図示）と記録用紙との距離調整を行う。排出部８５は、排出ローラ１０８、排出トレイ１０９を有しており、排出ローラ１０８は、印字ヘッド１０１で印字された記録用紙を排出トレイ１０９に排出する。
【００６０】
次に、本プリンタの印字動作について説明する。
【００６１】
まず、ユーザーが、記録用紙をプリンタの給紙トレイ１０３上に載置する。そして、本プリンタがコンピュータ等の印字要求を受信したとき、分離板１０５と給紙ローラ１０４とが、記録用紙を１枚ずつ搬送部８３に給紙する。そして、給紙された記録用紙は、ガイド板１０６に支えられながら搬送ローラ１０７によって搬送される。
【００６２】
次に、印字ヘッド１０１が、搬送されてきた記録用紙に対してインクを吐出して印字を行う。この印字は、印字ヘッド１０１を備えたインクキャリッジ２０３を、シャフト２０２に沿って走査方向に移動させることによりおこなう。
【００６３】
すなわち、印字の際、インクキャリッジ２０３は、走査方向における一方の端部（シャフトの端部）に設けられたスタート位置に配置される。そして、印字要求に応じて、他方の端部に設けられた停止位置まで、走査方向に沿って移動されるようになっている。
【００６４】
そして、この移動の際、印字ヘッド１０１が、印字要求に応じて記録用紙に対してインクを吐出する。これにより、印字ヘッド１０１によって、１走査分の画像（走査画像）を印字できるようになっている。なお、走査画像の幅は、印字ヘッド１０１の縦幅（シート搬送方向での幅）に相当する。
【００６５】
また、１つの走査画像が印字された後、搬送ローラ１０７は、プラテン１０２上の記録用紙を、所定量だけ搬送させる。また、この搬送の間に、インクキャリッジ２０３は、スタート位置に復帰する（印字走査）。
【００６６】
そして、本プリンタでは、このような印字走査を繰り返し行うことで、印字ヘッド１０１から吐出されるインクによって、印字要求に応じた情報を記録用紙に印字することができ、最後に、印字された紙は、排紙ローラ１０８を経て排紙トレイ１０９に排出され、ユーザーにドキュメント（印字物）として提供される。なお、図１および図２に示す構成は、以下の各実施形態において共通する。
【００６７】
（実施形態１）
図３は、本実施形態における印字ヘッド１０１のノズル（吐出口）の配置を示す。この例では、同種インクのノズルは、用紙搬送方向に１５０個／インチ・ピッチで配列されている。黒ＢＫ、シアンＣ、ライトシアンＬＣのノズル列と、マゼンタＭ、ライトマゼンタＬＭ、黄Ｙのノズル列は、用紙搬送方向に１／３００インチずれた位置に配置されている。
【００６８】
そのため、６００ＤＰＩ（ドット／インチ）の画像の場合、同一スキャンで隣接する位置に印字可能なインクは、黒ＢＫとシアンＣとライトシアンＬＣ、または、マゼンタＭとライトマゼンタＬＭと黄Ｙとなる。
【００６９】
インクキャリッジ２０３の走査速度は３２０ｍｍ／ｓｅｃであり、ＢＫ、Ｃ、ＬＣの各ノズル列の間隔と、Ｍ、ＬＭ、Ｙの各ノズル列の間隔は、それぞれ１２ｍｍに設定されており、印字方法は、マルチドロップ方式である。
【００７０】
図４は、印字処理の流れを示すフローチャートである。インクの種類は、黒ＢＫ、シアンＣ、ライトシアンＬＣ、マゼンタＭ、ライトマゼンタＬＭ、黄Ｙの６種とする。印字ヘッド１０１におけるノズルの配置は図３の通りとし、所定の領域を、ｍ画素×ｎ画素とする。
【００７１】
Ｓ１：各色への画像展開をおこなう。まず元の画像データを、各画素毎に、Ｃ、ＬＣ、Ｍ、ＬＭ、Ｙ、ＢＫの６種のインクについて、それぞれのドロップ数を割当てる。各種インク毎の最大ドロップ数をＮｍａｘとする。
【００７２】
Ｓ２：画像全域の各画素について、下記の処理を繰返す。
【００７３】
Ｓ３：６種のインクついて、下記の処理を繰返す（繰返中のインクを、インクａとする。）
Ｓ４：同色インクが２種以上ある場合（シアンとマゼンタ）について、下記の処理を繰返す。同色インクが１種のみの場合、インクは置換えない。
【００７４】
Ｓ５：一様な領域を見つける。『あるインク（例：シアンＣ）について、所定の領域（ｍ画素×ｎ画素）で、全画素におけるドロップ数がＮｍａｘ／２を超えるか否か』を判断し、『超える』場合、次へ進む。
【００７５】
Ｓ６：上記の領域の隣接の画素（インクキャリッジ２０３の走査方向について、両側にある隣接画素）について、下記の処理を繰返す。
【００７６】
Ｓ７：上記のあるインク（シアンＣ）について、そのドロップ数がＮｍａｘ／３以下であれば、次へ進む（その隣接画素間に境界があると判断する）。
【００７７】
Ｓ８：異色インク（シアン以外のインク）について、下記の処理を繰返す。
【００７８】
Ｓ９：『異色インクとインクａのインクヘッド配置は、同一ライン上にあり、その間隔は所定間隔以内か』を判断する。同一ライン上にあり、所定間隔以内であれば、次へ進む（同一ライン上にあれば、同一ライン走査で、この２種のインクが隣接画素として印字される。さらに、所定間隔以内であれば、その吐出時間差が短い）。
【００７９】
Ｓ１０：『上記の異色インクについて、上記隣接画素のドロップ数がＮｍａｘ／２以上か否か』を判断し、『以上』なら次へ進む（ドロップ数が多いと滲みやすくなる）。
【００８０】
Ｓ１１：同色のインクに置換える（例：シアンＣをライトシアンＬＣに置換える）。
【００８１】
上記の様々な処理を繰返し、上記の各所定条件により、境界の画素を同色のインクで置換える。これにより、境界での滲みを防止することができる。
【００８２】
図５に、黒ＢＫの高濃度領域とシアンＣの高濃度領域が隣接する場合の印字の概念図を示す。この２色の境界において、シアンＣをライトシアンＬＣに置換えている。印字ヘッド１０１上のノズル配列において、ライトシアンＬＣと黒ＢＫノズル間距離は２４ｍｍであり、シアンＣと黒ＢＫのノズル間距離は１２ｍｍである。隣接ドット印字の時間間隔は、それぞれ７５ｍｓｅｃと３８ｍｓｅｃとなる。
【００８３】
このように、シアンＣをライトシアンＬＣに置換えたことで（Ｓ１１）、時間間隔が大に変更されるため、図６に示すように、滲み量は僅少となり、隣接部分に印字のある場合と無い場合の滲み量の差ｂである。なお、その滲み量は、図７より２０μｍ程度となる（以下に説明）。
【００８４】
図７は、隣接ドットの印字時間間隔と滲みの関係を示す。なお、この場合、印字密度は６００ＤＰＩであり、ドットあたりのインク吐出量は２０ｐｌである。この図から、境界部分で、シアンＣをライトシアンＬＣに置き換えることにより、滲みが低減されることが判る。すなわち、隣接ドット印字の時間間隔は、３８ｍｓｅｃから７５ｍｓｅｃになるため、滲み量は、２００μｍから２０μｍ程度にまで低下する。
【００８５】
また、ドットの種類のみが置換えられているので、図１４に示す従来例のように、ドットを小さくした時のように、白地部が発生しないため、白すじやバンディングが目立つようなことはない。
【００８６】
（実施形態２）
本実施形態おける印字ヘッド１０１のノズル（吐出口）の配置は、図３に示す実施形態１と同様とし、印字処理の流れについても、図４に示す実施形態１と同様とし、マルチドロップ方式での印字がおこなわれる。また、各画素では、各種インク毎に、最大４ドロップ吐出可能である。所定サイズ領域を２画素×２画素とする。
【００８７】
図８の印字の概念図に示すように、シアンＣと黒ＢＫのそれぞれの画像領域が存在する。２色共、最大ドロップ数で印字されている。例Ａ〜例Ｄに示すように、画像データが構成されている場合について説明する。
【００８８】
図４の処理フローを用いれば、例Ａでは、所定サイズ領域が存在しないので、インクの置換えは実施されない。例Ｂでは、所定サイズ領域が存在するが、隣接する異色の画素がないので、インクの置換えは実施されない。
【００８９】
例Ｃと例Ｄでは、所定サイズ領域が存在し、隣接する異色の画素があるので、インクの置換えが実施される。すなわち、実施形態１の場合と同様に、境界部分で、シアンＣをライトシアンＬＣに置き換えることにより、滲みを低減することができる。
【００９０】
（実施形態３）
本実施形態おける印字ヘッド１０１のノズル（吐出口）の配置は図９に示される。この場合、２色の境界において、隣接する２色の画素について、それぞれインクを置換えるようにする。
【００９１】
図１０の印字の概念図に示すように、シアンＣとマゼンタＭの境界において、隣接画素を、それぞれライトシアンＬＣとライトマゼンタＬＭに置換えている。ライトシアンＬＣとライトマゼンタＬＭへの置換えにより、ライトシアンＬＣのみの置換え（マゼンタＭはそのまま）に比べ、２種インクのノズル列間隔が長くなる。すなわち隣接２画素の吐出時間差が長くなり、滲みを効果的に防止できる。
【００９２】
さらに、１色と２色の置換えを合わせれば、インク置換えの選択の自由度が増す。滲み防止を、さらに確実に達成することができる。
【００９３】
（実施形態４）
本実施形態おける印字ヘッド１０１のノズル（吐出口）の配置は図９に示される実施形態３と同様とする。この場合、２色の境界において、隣接する２色の画素について、走査ライン毎に交互に、２色のインクを置換えるようにする。
【００９４】
図１１の印字の概念図に示すように、シアンＣとマゼンタＭの境界において、隣接画素を、それぞれライトシアンＬＣまたはライトマゼンタＬＭに（交互に）置換えている。
【００９５】
図９のように、ノズル列が配置されている場合、ライトシアンＬＣとライトマゼンタＬＭへの置換えにより、シアンＣとマゼンタＭに比べ、２種インクのノズル列間隔が長くなる。従って、隣接２画素の吐出時間間隔が長なり、滲みを効果的に防止することができる。
【００９６】
また、１色のみの置換えに偏らないので、置換えの影響（インクの消費等）が分散される利点もある。
【００９７】
（実施形態５）
本実施形態では、『１画素のみのインクの置換えは、実施しない』ようにしている。すなわち、図１２の印字の概念図に示すように、所定サイズ領域を２画素×１画素（すなわち、何れか方向で２画素以上）とする。従って、１画素のみの画像では、所定サイズ領域についての条件が満足されないので、１画素のみのインクの置換えは行われない。
【００９８】
１画素のみ置換えをさける理由は、領域の境界線の置換えに比べ、その影響が大きくなる場合がある。例えば、１画素の点を、濃い色から淡い色に置換えると、点が目立ちにくくなる。
【００９９】
本実施形態では、このような不具合の発生を除去するために、上述のように所定サイズ領域を２画素×１画素として、２画素以上の場合ついてのみ、シアンＣからライトシアンＬＣへの置き換えをおこない、滲みを効果的に防止できるようにしている。
【０１００】
（実施形態６）
高密度印字では、ドット印字間隔が、ドットサイズに比べ、はるかに小さくなる場合がある。そのため、隣接ドットの重なりが大きくなる。この重なりのため、境界部での滲みも発生しやすくなる。従って、インクの置換えも、隣接の１ドットでは不十分となる。
【０１０１】
そこで、本実施形態では、所定の範囲内にあるドットに対し、インクを置換えるようにしている。すなわち、図１３（ａ）（ｂ）に示すように、上記所定の範囲（主走査方向）を、例えば、副走査方向（用紙送り方向）の走査ライン間隔の１．５倍とし、この範囲内で、シアンＣをライトシアンＬＣに置き換えている。なお、上記所定の範囲（主走査方向）は、上記範囲に限られることなく、走査速度等の印字条件に応じて適宜に選択設定されてよく、例えば、走査ライン間隔の１〜２倍の範囲で選択されてよい。
【０１０２】
なお、その他の実施形態として、図示は省略するが、例えば、インクキャリッジ２０３の走査速度が、３２０ｍｍ／ｓｅｃの場合、ノズル列の間隔を２０ｍｍ以上に設定することで、ノズル相互の吐出時間間隔を６０ｍｓｅｃ以上とし、２色の境界での滲みを効果的に防止することができる。
【０１０３】
また、印字ヘッド１０１のノズル列の間隔が、例えば、２５ｍｍの場合、インクキャリッジ２０３の走査速度を４００ｍｍ／ｓｅｃ以下に設定すれば、ノズル相互の吐出時間間隔は６０ｍｓｅｃ以上となるため、２色の境界での滲みを効果的に防止することができる。
【０１０４】
【発明の効果】
以上の説明から明らかなように、本発明は、以下の効果を奏する。
【０１０５】
（１）被印字面上の画像の境界付近において、前記境界の隣接画素相互の吐出時間間隔が、所定インクについての所定時間より短い場合、前記境界付近でのインク吐出口の選択を変更し、前記吐出時間間隔を前記所定時間より長く設定するので、インクの乾燥時間を確保できるため、境界部付近での滲みを効果的に抑制することができる。また、ドットの大きさを変化させないので、白筋やバンディングを発生させることがない。
【０１０６】
（２）吐出口の選択を変更する場合、同色で濃淡の異なるインクの吐出口を選択するので、原画像との相違を少なくすることができる。
【０１０７】
（３）境界の両方の領域で、吐出口の選択を変更するので、吐出口の選択肢が増えるため、滲みを、より効果的に防止することができる。
【０１０８】
（４）境界の片方の領域でのみ、吐出口の選択を変更するので、片側の領域でのみ、インクが変わるため、原画像との相違を少なくすることができる。
【０１０９】
（５）走査ライン毎に、境界の何れか片方の領域を選び、吐出口の選択を変更するので、インク変更の偏りを減らせるので、原画像との見た目の違いを少なくすることができる。
【０１１０】
（６）被印字面上の境界付近の所定範囲内への印字において、吐出口の選択を変更するので、所定範囲内に重心のあるドットについて、前記吐出口の選択を変更するため、滲みを効果的に防止できる。
【０１１１】
（７）所定範囲を、主走査方向において、前記境界からラインピッチ幅の１〜２倍の範囲に設定して、その吐出口の選択を変更するので、この範囲内の異色ドット相互の吐出時間間隔を長くできるので、滲みを効果的に防止することができる。
【０１１２】
（８）吐出口の選択の変更後、境界における隣接画素の吐出時間間隔を所定時間以上に設定するので、先に吐出したインクの乾燥が進み、滲みを効果的に防止することができる。
【０１１３】
（９）隣接画素の吐出時間間隔を６０〜１２０ｍｓに設定するので、滲み量を効果的に少なくすることができる。
【０１１４】
（１０）所望の異なる色の吐出口の間に、他の吐出口を設けるので、異なる色の吐出口の間隔が長くなるため、異なる色の吐出時間間隔が長くなり、滲みを効果的に防止することができる。
【０１１５】
（１１）１ライン走査内で、インクを吐出する複数の吐出口として、黒ＢＫ、シアンＣ、ライトシアンＬＣの順に並べるので、黒ＢＫとライトシアンＬＣを選択すれば、吐出時間間隔が長くなるため、滲みを効果的に防止することができる。
【０１１６】
（１２）１ライン走査内で、インクを吐出する複数の吐出口として、ライトマゼンタＬＭ、マゼンタＭ、黄Ｙの順に並べるので、黄ＹとライトマゼンタＬＭを選択すれば、吐出時間間隔が長くなるため、滲みを効果的に防止することができる。
【０１１７】
（１３）隣接画素の吐出時間間隔が、所定時間以上に達しない場合、吐出口の間隔を広げるので、隣接画素の吐出時間間隔が、所定時間以上となる選択が可能となり、滲みを効果的に防止することができる。
【０１１８】
（１４）隣接画素の吐出時間間隔が、所定時間以上に達しない場合、その走査領域での走査速度を遅くするので、隣接画素の吐出時間間隔が、所定時間以上となる選択が可能となり、滲みを効果的に防止することができる。
【０１１９】
（１５）全画素間のデータ変化量が第１所定値以内を満足する場合、同一領域と見し、さらに、第２所定値以上を満足する場合、前記領域に隣接する画素と前記領域との間に、境界があると見し、その境界部においてインク吐出口の選択を変更するので、滲みを効果的に防止することができる。
【０１２０】
（１６）所定サイズの領域を構成する長方形の何れかの１辺の長さを、２画素以上とするので、１画素幅の領域に対するインク種類の置き換えを防ぐことができ、色の変化を目立たなくすることができる。
【０１２１】
（１７）各画素を構成する何れかの種類のインクについて、高濃度の領域（最大ドロップ数の１／２以上）を見つけ、その高濃度部と低濃度の境界部においてインク吐出口の選択を変更することで、滲みを効果的に防止することができる。
【０１２２】
また、低濃度（ドロップ数の少ない）の場合、インクを置換えないので、処理速度が上がる。さらに、色が変化することを防げる。また、低濃度の場合、インク吐出量が少ないため、滲みが発生しにくくなる。
【０１２３】
（１８）所定サイズの領域に対し、その隣接画素の色が異なり、高濃度（最大ドロップ数の１／２以上）である場合、そこに境界があると見なし、その境界部においてインク吐出口の選択を変更するので、滲みを効果的に防止することができる。
【図面の簡単な説明】
【図１】本発明の実施形態に係るインクジェット記録装置の斜視図である。
【図２】同断面図である。
【図３】同印字ヘッドのインクノズルの配列図である。
【図４】同印字フローを説明するためのフローチャートである。
【図５】同印字の概念図である。
【図６】同境界部におけるにじみの説明図である。
【図７】同印字間隔とにじみの関係を示す図である。
【図８】同別の印字の概念図である。
【図９】同別のインクノズルの配列図である。
【図１０】同さらに別の印字の概念図である。
【図１１】同異なる印字の概念図である。
【図１２】同さらに異なる印字の概念図である。
【図１３】同他の印字概念の説明図である。
【図１４】従来の印字概念の説明図である。
【符号の説明】
Ｃ、ＬＣ、Ｍ、ＬＭ、Ｙ、ＢＫ−インク吐出口
【図１】
2004034472.tif 000003
【図２】
2004034472.tif 000004
【図３】
2004034472.tif 000005
【図４】
2004034472.tif 000006
【図５】
2004034472.tif 000007
【図６】
2004034472.tif 000008
【図７】
2004034472.tif 000009
【図８】
2004034472.tif 000010
【図９】
2004034472.tif 000011
【図１０】
2004034472.tif 000012
【図１１】
2004034472.tif 000013
【図１２】
2004034472.tif 000014
【図１３】
2004034472.tif 000015
【図１４】
2004034472.tif 000016